【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
開口部に設けられて上面から見たシルエットが長細い複数の棒からなるフィルター部を備え、前記複数の棒が、側面から見た高さを互いに全て異にする複数のグループを構成するように配置されていることを特徴とする注ぎ口。
【請求項２】
前記複数の棒が、上面から見て一部だけ重なり、かつ重なっている部分が接続部によって互いに連結されていることを特徴とする、請求項１記載の注ぎ口。
【請求項３】
前記複数の棒のうち少なくとも一つは、突起または繊毛を持っていることを特徴とする、請求項１または請求項２に記載の注ぎ口。
【請求項４】
請求項１から請求項３のいずれかに記載の注ぎ口を有する容器と、前記容器に収納されかつ固体が析出する液体とを備える包装体。
【手続補正２】
【補正対象書類名】明細書
【補正対象項目名】０００５
【補正方法】変更
【補正の内容】
【０００５】
第１の課題解決手段による注ぎ口は、開口部に設けられて上面から見たシルエットが長細い複数の棒からなるフィルターを備え、複数の棒が、側面から見た高さを互いに全て異にする複数のグループを構成するように配置されているものである。
第２の課題解決手段による注ぎ口は、第１の課題解決手段の構成に加えて、複数の棒が、上面から見て一部だけ重なり、かつ重なっている部分が接続部によって互いに連結されているものである。
第３の課題解決手段による注ぎ口は、第１または第２の課題解決手段の構成に加えて、複数の棒のうち少なくとも一つは、突起または繊毛を持っているものである。
第４の課題解決手段による包装体は、第１から第３の課題解決手段のいずれかの構成を備える注ぎ口を有する容器と、容器に収納されかつ固体が析出する液体とを備えるものである。
【手続補正３】
【補正対象書類名】明細書
【補正対象項目名】０００６
【補正方法】変更
【補正の内容】
【０００６】
第１の課題解決手段の注ぎ口によれば、複数の棒が側面から見た高さを互いに全て異にする複数のグループを構成するように配置されているので、同じ高さに配置される棒の本数が全体の本数よりも少なくなるので側面から見た同じ高さにおける開口部が大きくなり、かつ棒で凝集物などを止めるため特に膜状の凝集物などは棒に巻き付くように捕捉されるので、膜状の凝集物などによって目詰まりが発生し難くなるという効果がある。
第２の課題解決手段の注ぎ口によれば、複数の棒が、上面から見て一部だけ重なっていることから、重なりのない部分が上下に割れる金型で成形でき、かつ重なっている部分が接続部によって互いに連結されていることから、重なっている部分の間に金型を入り込ませなくて済むため、簡単に、上下に分割する金型で一度に成形することができ、コストを削減できるという効果がある。
第３の課題解決手段の注ぎ口によれば、突起または繊毛を持つ棒により絡め取られた凝集物などは脱落しにくくなり、凝集物などが通過するのを防ぐ効果を向上させることができる。
第４の課題解決手段の包装体によれば、液体から生じる固体をろ過しつつ液体を注ぎ出し、目詰まりがし難いので使用可能な液体の量を従来に比べて増やせるという効果がある。
【手続補正４】
【補正対象書類名】明細書
【補正対象項目名】０００８
【補正方法】変更
【補正の内容】
【０００８】
（第２実施形態）
次に、この発明の第２実施形態による注ぎ口について図６および図７を用いて説明する。図６は、この発明の第２実施形態による注ぎ口の平面図であり、図７は図６におけるＢ−Ｂ線矢視断面図である。
図６及び図７に示す注ぎ口２１は、キャップ嵌合部２２、取り付け部２３及びフィルター部２４を備えて構成されている。キャップ嵌合部２２の最上部の外周に、リング状突起２５が設けられている。キャップ嵌合部２２と取り付け部２３との境界には、フランジ２６が設けられている。キャップ嵌合部２２から取り付け部２３に貫通する開口部２７内を液体が通過し、取り付け部２３の内周面に配置されているフィルター部２４によって、液体から凝集物などの固形物が液体の使用に支障のない程度まで除去される。
図６に示すように、フィルター部２４は、１１本の棒２８ａ〜２８ｋからなり、上面から見て大きな間隙ができないように、棒２８ｂ〜２８ｆが棒２８ａから時計回りに順に上面から見た角度を３０度ずつ変化させながら開口部２７の内周面に配置され、棒２８ｇ〜２８ｋが棒２８ａから反時計回りに順に上面から見た角度を３０度ずつ変化させながら開口部２７の内周面に配置されている。例えば、棒２８ａに対して棒２８ｂが反時計回りに３０度ずれており、棒２８ａに対して棒２８ｇが時計回りに３０度ずれている。
また、１１本の棒２８ａ〜２８ｋを側面から見ると、上部より所定間隔ずつ下方に離して設けられている（図７参照）。つまり、棒２８ａ〜２８ｋは、側面から見た高さを互いに全て異にする４つのグループを構成していることになる。例えば、棒２８ａは、最も高いところに位置する第１グループに属し、棒２８ｃ，２８ｅ，２８ｈ，２８ｊは、２番目に高いところに位置する第２グループに属する。
注ぎ口２１にフィルター部２４が設けられているので、収納されている液状物内で生じた凝集物などの固形物が複数の棒２８ａ〜２８ｋのいずれかに巻き付くことにより除去される。そして、複数の棒２８ａ〜２８ｋが高さ方向で分離され、同一水平面内に全部の棒２８ａ〜２８ｋが網の目のように配置されていないため、目詰まりを起こし難くなっている。
また、第２実施形態のフィルター部２４を構成する１１本の棒２８ａ〜２８ｋの上面から見たときに重なる部分がほとんどないように配置されているので、注ぎ口２１は上下に開く金型により１回で成形可能である。
【手続補正５】
【補正対象書類名】明細書
【補正対象項目名】０００９
【補正方法】変更
【補正の内容】
【０００９】
（第３実施形態）
次に、この発明の第３実施形態による注ぎ口について図８および図９を用いて説明する。図８は、この発明の第３実施形態による注ぎ口の平面図であり、図９は図８におけるＣ−Ｃ線矢視断面図である。
図８及び図９に示す注ぎ口３１は、キャップ嵌合部３２、取り付け部３３及びフィルター部３４を備えて構成されている。キャップ嵌合部３２の最上部の外周に、リング状突起３５が設けられている。キャップ嵌合部３２と取り付け部３３との境界には、フランジ３６が設けられている。キャップ嵌合部３２から取り付け部３３に貫通する開口部３７内を液体が通過し、取り付け部３３の内周面に配置されているフィルター部３４によって、液体から凝集物などの固形物が液体の使用に支障のない程度まで除去される。
図８に示すように、フィルター部３４は、６本の棒３８ａ〜３８ｆが上面から見て、大きな間隙ができないよう、井桁に組まれて取り付け部３３の内周面に配置されている。つまり、棒３８ａ，３８ｃ，３８ｅが上面から見て所定間隔離れて平行に配置され、棒３８ｂ，３８ｄ，３８ｆが上面から見て棒３８ａ，３８ｃ，３８ｅに直行するように所定間隔離れて平行に配置されている。
また、６本の棒３８ａ〜３８ｆを側面から見ると、上部より所定間隔ずつ下方に離して設けられている（図９参照）。つまり、棒３８ａ〜３８ｆは、側面から見た高さを互いに全て異にする６つのグループにそれぞれ一本ずつ属していることになる。例えば、棒３８ａは、最も高いところに位置する第１グループに属し、棒３８ｂは、２番目に高いところに位置する第２グループに属するなどである。
注ぎ口３１にフィルター部３４が設けられているので、収納されている液状物内で生じた凝集物などの固形物が複数の棒３８ａ〜３８ｆのいずれかに巻き付くことにより除去される。そして、複数の棒３８ａ〜３８ｆが高さ方向で分離され、同一水平面内に全部の棒３８ａ〜３８ｆが網の目のように配置されていないため、目詰まりを起こし難くなっている。
また、第３実施形態のフィルター部３４を構成する６本の棒３８ａ〜３８ｋの上面から見たときに重なる部分が接続部３８ｇ，３８ｈ，３８ｉで埋められている。そのため、注ぎ口３１は上下に開く金型により１回で成形可能である。
【手続補正６】
【補正対象書類名】図面
【補正対象項目名】図５
【補正方法】変更
【補正の内容】
【図５】
2005247388.tif 000001
【手続補正７】
【補正対象書類名】図面
【補正対象項目名】図６
【補正方法】変更
【補正の内容】
【図６】
2005247388.tif 000002
【手続補正８】
【補正対象書類名】図面
【補正対象項目名】図８
【補正方法】変更
【補正の内容】
【図８】
2005247388.tif 000003